(57)【要約】【課題】通気孔を備えた鼻隠し化粧部材を鼻隠しに取り付けて構成される軒先構成体において、鼻隠しの下方の換気室の形状の改良と加熱発泡材の取り付け位置の選定により、換気機能を低下させることなく、火災時には外気の通気路が確実に遮断されるようにして家屋の防災性能を高める。【解決手段】通気孔５３を有する鼻隠し化粧部材５とその下側面部５２の端部を支持する端部支持部材６とで鼻隠し１下方に屋根裏空間３に通じる換気室７を形成し、この換気室７内を仕切り部材８によって複数の空間に区画し、且つ隣り合う区画同士を通気孔８１ａ，８２ａで連通するとともに、各通気孔５３，８１ａ，８２ａの近傍にそれぞれ加熱発泡材９，９を配置する。【選択図】図１
2019073877.tif 000002
【特許請求の範囲】
【請求項１】
鼻隠しの前面に固定される前側面部と前側面部の下端から鼻隠しの下方へ張り出した下側面部を有する鼻隠し化粧部材と、鼻隠しの下方の家屋外壁に固定されて鼻隠し化粧部材の下側面部の端部を支持する端部支持部材とで鼻隠しの下方に屋根裏空間に通じる換気室を形成し、前記鼻隠し化粧部材の前側面部に形成された通気孔から換気室内に進入した外気が屋根裏空間へ流入するように構成された軒先構成体であって、
前記換気室内が仕切り部材によって複数の空間に区画され、且つ隣り合う区画同士が仕切り部材に形成された通気孔を介して連通されているとともに、
少なくとも前記鼻隠し化粧部材に形成された通気孔に間近な当該化粧部材の下側面部上面と前記仕切り部材に形成された通気孔に間近な仕切り部材上面とに加熱発泡材がそれぞれ取り付けられた構成を有することを特徴とする軒先構成体。
【請求項２】
表面に通気孔を有する仕切り板を上下に対向配置して形成された仕切り部材が換気室内に設置されて、換気室が仕切り部材の上方空間、上下の仕切り板の間の空間及び仕切り部材の下方空間に区画され、
前記上下に対向配置された仕切り板の内、下側の仕切り板の上面に加熱発泡材が取り付けられた構成を有することを特徴とする請求項１に記載の軒先構成体。
【請求項３】
仕切り部材の上下に対向配置された両仕切り板に形成された通気孔は、家屋の外壁から軒先方向に沿って上下の仕切り板で前後互い違いとなる位置にそれぞれ設けられ、加熱発泡材は下側の仕切り板の上面であって上側の仕切り板に形成された通気孔の下方に取り付けられた構成を有することを特徴とする請求項２に記載の軒先構成体。
【請求項４】
仕切り部材の底部に下方へ突出した突部が設けられ、この突部が、鼻隠し化粧部材の下側面部上面に取り付けられた加熱発泡材の上方に位置した構成を有することを特徴とする請求項１から３の何れかに記載の軒先構成体。
【請求項５】
仕切り部材は、その前端部に鼻隠し化粧部材とともに鼻隠しの前面に固定される固定面部を備え、その後端部に端部支持部材に設けられた継手片に係合する継手片を備えた構成を有する請求項１から４の何れかに記載の軒先構成体。
【請求項６】
端部支持部材と仕切り部材が一体に設けられた構成を有する請求項１から４の何れかに記載の軒先構成体。
【発明の詳細な説明】
【技術分野】
【０００１】
本発明は、軒先の鼻隠しに通気孔を備えた鼻隠し化粧部材を取り付け、通気孔を通して家屋の屋根裏の空間を換気することができるように構成された軒先構成体に関する。
【背景技術】
【０００２】
鼻隠し化粧板に通気孔を設けて屋根裏の空間を換気することができるようにした軒先構成体として、例えば図７に示されるように、鼻隠し１００に取り付けられる鼻隠し化粧板１０１の取り付け面部１０２の下端部を後方へ屈曲して鼻隠し１００の下方に換気室１０３を形成し、この換気室１０３の前面に通気孔１０４を設けて外気が換気室１０３内を通って屋根裏空間１０５へと流入するように設けるとともに、換気室１０３内に当該室内の上方の空間を前後に仕切る遮蔽板１０６を配置し、この遮蔽板１０６の下端部に加熱発泡材１０７を装着して、火災発生時に加熱発泡材１０７が膨張することで換気室１０３内の通気路を遮断し、屋根裏空間１０５に火炎や熱風が入り込むことを防ぐようにした構造のものが知られている。
【０００３】
図示した軒先構成体によれば、通気孔１０４から外気を取り入れて屋根裏空間１０５を十分に換気することができ、火災の際には熱を受けて膨張した加熱発泡材１０７が換気室１０３内の通気路を遮断することで通気孔１０４からの外気の流入を遮断し、火炎や熱風が屋根裏へと入り込んで家屋が延焼することを効果的に防止することが可能である（例えば特許文献１，２参照）。
【先行技術文献】
【特許文献】
【０００４】
【特許文献１】特開２００９−１１４７１８号公報
【特許文献２】特開２０１０−１５０８７９号公報
【発明の開示】
【発明が解決しようとする課題】
【０００５】
近時、軒の出がない或いは軒の出を短く納めた、いわゆる「軒ゼロ住宅」が広く採用されてきている。「軒ゼロ住宅」は都市部の市街地などの狭小地に建てられる家屋への採用が比較的多い。そのような住宅密集地域では、火災が起きたときに出火元の家屋から隣接する家屋に火が燃え広がって被害を拡大させやすいことから、隣接する家屋との間に庭や植栽用の空間を確保することのできる郊外に建てる家屋よりも、家屋の防火性能が高いことが必要とされる。
【０００６】
前述の軒先構成体は、屋根裏空間を換気する機能と火災時に外気と火炎を遮断する機能はともに良好であるものの、これを住宅密集地域の「軒ゼロ住宅」の家屋に適用する場合、両機能をより向上させた構造に設けられていること、とりわけ火災時には通気孔から屋根裏空間に至る通気路を確実に短時間で遮断することのできる構造に設けられていることが、当該家屋の防火性能を高める上で肝要である。
【０００７】
前記軒先構成体における火災時の通気路遮断機能を高める方策としては、例えば熱せられた外気を受けて膨張する加熱発泡材の設置量を多くしたり、通気路を狭くし或いは通気孔の数を減らしたりすることが考えられる。
然しながら、前者の単に加熱発泡材の設置量を多くしただけでは、設置位置が適切でないと、換気機能を低下させたり膨張するのに時間を要したりしてしまうことにもなりかねず、後者では換気機能が損なわれることは明らかである。また、通気路上に適切な量の加熱発泡材が設置されていたとしても、これを取り囲む通気路の内面形状、つまり換気室の形状によっては、膨張した加熱発泡材と換気室内面の間に隙間ができるなどして、通気孔から流入する外気の遮断が不十分となる虞もある。
火災時の通気路の遮断をより確実にするには、通気路内面を形成する換気室の形状を改良した上で加熱発泡材の設置位置の精査が必要である。また、狭小地に建てられることと相俟って軒先構成体を取り付ける軒先部分の工事は簡易な作業で行える構造とする必要がある。
【０００８】
本発明は従来の技術が有するこのような問題点に鑑み、屋根裏空間を換気するための通気孔を備えた鼻隠し化粧部材を鼻隠しに取り付けて構成される軒先構成体において、鼻隠しの下方に設ける換気室の形状の改良と加熱発泡材の取り付け位置の選定により、換気機能を低下させることなく、火災時には外気の通気路が確実に遮断されるようにして家屋の防災性能を高めることを課題とする。
また、本発明は、換気機能及び火災時に外気と火炎の進入を阻止する機能がともに良好な軒先構成体を、「軒ゼロ住宅」の軒先に簡易な工事で取り付けることができるようにすることを課題とする。
【課題を解決するための手段】
【０００９】
前記課題を解決するため本発明は、鼻隠しの前面に固定される前側面部と前側面部の下端から鼻隠しの下方へ張り出した下側面部を有する鼻隠し化粧部材と、鼻隠しの下方の家屋外壁に固定されて鼻隠し化粧部材の下側面部の端部を支持する端部支持部材とで鼻隠しの下方に屋根裏空間に通じる換気室を形成し、前記鼻隠し化粧部材の前側面部に形成された通気孔から換気室内に進入した外気が屋根裏空間へ流入するように構成された軒先構成体であって、
前記換気室内が仕切り部材によって複数の空間に区画され、且つ隣り合う区画同士が仕切り部材に形成された通気孔を介して連通されているとともに、
少なくとも前記鼻隠し化粧部材に形成された通気孔に間近な当該化粧部材の下側面部上面と前記仕切り部材に形成された通気孔に間近な仕切り部材上面とに加熱発泡材がそれぞれ取り付けられた構成を有することを特徴とする。
【００１０】
これによれば、鼻隠し化粧部材に形成された通気孔から外気が換気室内に進入し、さらに仕切り部材に形成された通気孔を通って屋根裏の空間へと流入する。外気の流入により、屋根裏空間内で空気が滞留することを防ぎ、当該空間内を流入してきた外気によって換気することができる。換気室内が仕切り部材によって複数の空間に区画されているので、強風時に通気孔から外気が換気室内に勢いよく進入しても、仕切り部材に衝突して勢いが削がれるため、流入した外気が屋根裏の空間まで一気に入り込むようなことはない。
また、鼻隠し化粧部材に形成された通気孔に間近な近接した位置に加熱発泡材が取り付けられ、さらに仕切り部材に形成された通気孔に間近な近接した位置にも加熱発泡材が取り付けられ、換気室内の通気路上に少なくとも二つの加熱発泡材が取り付けてあるので、隣接する家屋に火災が発生し、それによる火炎や熱風が通気孔から換気室内に進入したときには、熱せられた各加熱発泡材が膨張することで屋根裏の空間に通ずる通気路が完全に遮断され、火炎や熱風が換気室内から屋根裏へ入り込むことを防止して家屋が延焼することを防ぐことができる。加熱発泡材は、鼻隠し化粧板に形成された通気孔から換気室を通じて屋根裏空間に至る通気路に沿って、少なくとも二つを適宜な間隔を空けて配置することが好ましい。換気機能を損なわず且つ材料コストが嵩まなければ三つ以上を配置してもよい。
【００１１】
前記構成の軒先構成体において、表面に通気孔を有する仕切り板を上下に対向配置して形成された仕切り部材が換気室内に設置され、換気室が仕切り部材の上方空間、上下の仕切り板の間の空間及び仕切り部材の下方空間に区画され、前記上下に対向配置された仕切り板の内、下側の仕切り板の上面に加熱発泡材が取り付けられた構成としてもよい。
これによれば、仕切り部材が仕切り板を上下に対向配置して箱形に形成されており、両仕切り板に形成された通気孔を通して外気を換気室から屋根裏空間に流入させて換気することができる。火災時には、箱形の仕切り部材の内部に取り付けられた加熱発泡材が流入外気の熱を受けて膨張することで、上下の仕切り板間の空間に膨張した加熱発泡材が充満し、両仕切り板に形成された通気孔を加熱発泡材で密閉して外気の通気路を確実に遮断することが可能である。
【００１２】
仕切り部材を箱形に形成する場合、仕切り部材の上下に対向配置された両仕切り板に形成された通気孔は、家屋の外壁から軒先方向に沿って上下の仕切り板で前後互い違いとなる位置にそれぞれ設けられ、加熱発泡材は下側の仕切り板の上面であって上側の仕切り板に形成された通気孔の下方に取り付けられていることが好ましい。
これによれば、換気室に流入した外気は、下側の仕切り板の通気孔から箱形の仕切り部材の内部に入り込み、さらに上側の仕切り板の通気孔から屋根裏の空間へと流れ出るが、上下の仕切り板に形成された通気孔は前後互い違いとなる位置に設けられているので、仕切り部材内の外気の通気路は上下の通気孔間を蛇行する通路となり、また、下側の仕切り板の上面に取り付けられた加熱発泡材は上側の仕切り板に形成された通気孔の下方に位置しているので、火災時に熱せられた外気が箱形の仕切り部材内を蛇行しながら流れて加熱発泡材に確実に接し、加熱発泡材の表面全体を効率的に加熱し膨張せしめて、換気室内における外気の通気路を膨張した加熱発泡材で確実に遮断することが可能である。
【００１３】
前記構成の軒先構成体において、仕切り部材の底部に下方へ突出した突部が設けられ、この突部の下方に、鼻隠し化粧部材の下側面部上面に取り付けられた加熱発泡材が位置するように構成されていることが好ましい。
これによれば、前記加熱発泡材の上方に仕切り部材から下方へ突出した突部が位置して加熱発泡材上方の外気の通気路を狭めてあり、通気孔から換気室内に流入した外気は、加熱発泡材上の狭まった通気路を通って仕切り部材の通気孔へと流入する。火災時に流入する熱せられた外気は、加熱発泡材上の狭い通路を通過していくため、加熱発泡材を熱する外気の密度が大きく、多量の外気が加熱発泡材に接して加熱せしめ、加熱発泡材を短時間で効率的に膨張させて、仕切り部材下側の外気の通気路を確実に遮断することが可能である。
【００１４】
また、前記構成の軒先構成体において、家屋の軒先に簡易な工事で取り付けることができるようにするため、仕切り部材は、その前端部に鼻隠し化粧部材とともに鼻隠しの前面に接合して固定される固定面部を備え、その後端部に端部支持部材に設けられた継手片に係合する継手片を備えた構成を有することが好ましい。
また、端部支持部材と仕切り部材を一体に設けて構成されていてもよい。
【図面の簡単な説明】
【００１５】
【図１】本発明の一実施形態の軒先構成体を取り付けた家屋の軒先の断面構成図である。
【図２】図１の鼻隠し化粧板の通気孔を形成した部分の拡大図である。
【図３】（Ａ），（Ｂ）は図１の軒先構成体の端部支持部材と仕切り部材の接続位置を変えて出幅間隔を調整する機構を示した図である。
【図４】本発明の他の実施形態の軒先構成体を取り付けた家屋の軒先の断面構成図である。
【図５】図１の軒先構成体の端部支持部材を一体化して設けた仕切り部材の断面図である。
【図６】本発明のさらに他の実施形態の軒先構成体を取り付けた家屋の軒先の断面構成図である。
【図７】従来の軒先構成体を取り付けた家屋の軒先の断面構成図である。
【発明を実施するための形態】
【００１６】
以下、本発明の好適な実施の形態を、図面を参照して説明する。
図１は、本発明の一実施形態の軒先構成体を取り付けた家屋の軒先の断面を示しており、これは軒の出がない軒先に鼻隠しを覆う化粧部材を取り付け、化粧部材の前面に形成された通気孔を通して屋根裏空間の換気を行えるように構成されたものであり、図中、符番１は鼻隠し、２は家屋の外壁、３は屋根裏空間、４は軒先構成体を示している。
【００１７】
図示した形態の軒先構成体４は、鼻隠し１に取り付けられる鼻隠し化粧部材５と、鼻隠し化粧部材５の外壁２側の端部を支持して鼻隠し１の下方に屋根裏空間３に通じる換気室７を形成する端部支持部材６と、換気室７の内部を複数の空間に仕切る仕切り部材８とを備えて構成してある。
これらの部材は、軒先（水平）方向に沿った長さの長尺な部材であり、例えば表面を塩化ビニル樹脂で覆うなどの耐蝕加工が施された被覆鋼板や、耐蝕性を有する材質のもの、或いは亜鉛鋼板などの耐火性を有する材質のものからなる長尺の鋼板をベンダーなどで長手方向に沿って折り曲げて形成してある。
【００１８】
鼻隠し化粧部材５は、鼻隠し１の前面を覆う前側面部５１の下端に外壁２側へ垂直に折れて鼻隠し１の下方へ張り出した下側面部５２を設けるとともに、前側面部５１の下部に換気室７に通じる通気孔５３を形成してある。
【００１９】
詳しくは、前側面部５１は、鼻隠し１の前面に重なって当該前面を覆うとともにビスや釘などの固着具１０を打ち込んで固定される取り付け面部５１ａと、鼻隠し１よりも下方へ張り出した取り付け面部５１の下端から斜め下方へ突出した水切り面部５１ｂと、水切り面部５１ｂの下部から前記取付け面部５１ａと平行に下方へ張り出した垂下面部５１ｃとの各面部を有して形成され、垂下面部５１ｃ内に軒先方向に沿って適宜な間隔を空けて通気孔５３を多数列設してある。
【００２０】
下側面部５２は、前記垂下面部５１ｃの下端から外壁２側へ垂直に折れて鼻隠し１の下方を覆う下部被覆面部５２ａと、下部被覆面部５２ａの端部から上方へ直角に折れた上方折れ面部５２ｂの両面部を有して形成されており、前記垂下面部５１ｃに形成された通気孔５３に間近な下部被覆面部５２ａの上面には軒先に沿った長さの帯状の加熱発泡材９を接着固定して取り付けてある。
【００２１】
前記垂下面部５１ｃに形成された通気孔５３は、図２に示されるように、図２に示されるように、垂下面部５１ｃの表面を上下縁が当該垂下面部５１ｃに結合し、且つ左右縁を分断して換気室７が面する後方側へ陥没させた打ち抜き加工によって形成されており、陥没した部分の両側と垂下面部５１ｃ表面との隙間が通気孔５３となっている。
【００２２】
端部支持部材６は、外壁２に接合し、固着具１０を打ち込んで固定される取り付け面部６１の上下端部に、それぞれ両端部から直角に折れて前方へ張り出した上面部６２と下面部６３を一体に設けて形成してある。
【００２３】
取り付け面部６１は、その上下端部間の幅を前記鼻隠し化粧部材５の上方折れ面部５２ｂの立ち上がり幅よりも若干大きな寸法に設けて形成してある。また、上面部６２は、その先端上面に、当該先端部分を適宜な幅だけＵ字形に後方へ折り返してなる、後述する仕切り部材８の継手片８４が接続する継手片６２ａを設けてあり、下面部６３はその先端部を適宜な幅だけ上面に折り重ねて形成してある（図３参照）。
【００２４】
前記のように端部支持部材６は外壁２に取り付けられ、鼻隠し１に取り付けられた鼻隠し化粧部材５の上方折れ面部５２ｂを端部支持部材６の上下面部６２，６３間に差し入れて係合させることで、鼻隠し化粧部材５の端部が端部支持部材６に接続して支持するように設けてあり、鼻隠し化粧部材５と端部支持部材６が鼻隠し１の下方で一続きになることで、屋根裏空間３に通じる換気室７を鼻隠し１の下方に形成し、鼻隠し化粧部材５の前面に設けた通気孔５３から外気を換気室７内に取り入れ、取り入れた外気が屋根裏空間３へと流入して当該空間を換気するようになっている。
【００２５】
仕切り部材８は、表面に通気孔８１ａ，８２ａがそれぞれ形成された仕切り板８１，８２を上下に対向配置し、両板の前後両側を連結して箱形に組み合わせるとともに、その前端部に鼻隠し１の前面に接合して鼻隠し化粧部材５の前側面部５１とともに固定される固定面部８３、後端部に前方へ折れていて前記端部支持部材６に設けられた継手片６２ａに係合する継手片８４をそれぞれ一体に設けて形成してある（図３参照）。
【００２６】
上下の仕切り板８１，８２に設けた通気孔８１ａ，８２ａは、前記図２に示された通気孔５３と同様に、仕切り板８１，８２の表面を陥没させた打ち抜き加工によって形成され、軒先方向に沿って適宜な間隔を空けて両仕切り板８１，８２の表面に多数列設してある。両通気孔８１ａ，８２ａは、通気孔８１ａが仕切り板８１の後側、通気孔８２ａが仕切り板８２の前側に位置するように、つまり前後互い違いとなるような配置に設けてあり、通気孔８２ａに間近な下側の仕切り板８２の上面であって上側の仕切り板８１に形成された通気孔８１ａの下方に、長尺帯状の加熱発泡材９を接着固定して取り付けてある。
また、仕切り部材８の固定面部８３の下端部には、仕切り板８２よりも下方へ突出した突部８５を一体に設けてある。
【００２７】
仕切り部材８は、その前端の固定面部８２を鼻隠し１の前面に接合して固着具１０で固定し、後端の継手片８４を端部支持部材６の継手片６２ａに係合して接続し、鼻隠し１の下方の換気室７内に取り付けられて、換気室７内を屋根裏空間３に通じる仕切り部材８の上方空間と、上下の仕切り板８１，８２の間の空間と、仕切り部材８の下面と鼻隠し化粧部材５と端部支持部材６の内面の間の空間とに区画し、また、換気室７内を鼻隠し化粧部材５に形成された通気孔５３から上下の仕切り板８１，８２に形成された通気孔８２ａ，８１ａを通って屋根裏空間３に至る外気の通気路を形成して、前記通気孔５３から換気室７内に取り入れた外気が仕切り部材８内の通気路を取って屋根裏空間３へと流入するようになっている。
【００２８】
また、本形態では、仕切り部材８の継手片８４を仕切り部材８の後端から前方へ折れた突片形状、端部支持部材６の継手片６２ａを端部支持部材６の上面部６２の先端から後方へ折れた突片形状にそれぞれ設け、端部支持部材６との仕切り部材８の接続は継手片６２ａに継手半８４を噛み合わせて係合させることにより行われ、両辺の噛み合わせの深さを調整可能に設けてあるので、図３に示されるように、軒先の出幅が小さい（Ｗａ）軒先に対しては両辺の噛み合わせを浅くし、出幅が大きい（Ｗｂ）軒先に対しては噛み合わせを深くすることで、屋根の勾配が異なる家屋の軒先に対応して取り付けることができるようになっている。
【００２９】
これらの部材により構成される本形態の軒先構成体４の軒先への取り付けは、予め端部支持部材６の継手片６２ａに仕切り部材８の継手片８４を係合させて端部支持部材６に仕切り部材８を接続しておき、両部材を軒先の取り付け位置に沿って宛がい、仕切り部材８の固定面部８３を鼻隠し１の前面に接合して仮固定するとともに、前記両継手片６２ａ，８４の噛み合い深さを変えて仕切り部材８の出幅を調整しながら端部支持部材６の取り付け面部６１を外壁２に接合し、取り付け位置を調整したならば取り付け面部６１を固着具１０で外壁２に留め付けて固定する。
【００３０】
次いで、鼻隠し化粧部材５の前側面部５１を鼻隠し１に仮固定された仕切り部材８の固定面部８３に重ねるとともに、下側面部５２先端の上方折れ面部５２ｂを端部支持部材６の上面部６２と下面部６３の間に差し入れ、端部支持部材６の下面部６３上に鼻隠し化粧部材５の下側面部５２を支持させて両部材を接続する。
【００３１】
さらに、鼻隠し１の前面に重なり合った仕切り部材８の固定面部８３と鼻隠し化粧部材５の前側面部５１を、固着具１０を打ち込んで鼻隠し１に固定することで、軒先構成体４の取り付けが完了し、その後、屋根を工事し、鼻隠し化粧部材５の前側面部５１に雨樋を取り付けるなどして家屋の軒先廻りの造作が完了する。
【００３２】
本形態の軒先構成体４によれば、鼻隠し化粧部材５に形成された通気孔５３から外気が換気室７内に進入し、さらに仕切り部材に形成された通気孔８２ａ，８１ａを通って屋根裏空間３へと流入し、外気の流入により屋根裏空間３内で空気が滞留することを防ぎ、当該空間内に流入してきた外気によって換気することができる。
換気室７内が仕切り部材８によって複数の空間に区画されているので、強風時に通気孔５３から外気が換気室７内に勢いよく進入しても、仕切り部材８に衝突して勢いが削がれるため、流入した外気が屋根裏空間３まで一気に入り込むようなことはない。
【００３３】
また、鼻隠し化粧部材５に形成された通気孔５３に間近な位置に加熱発泡材９が取り付けられ、また、箱形に形成された仕切り部材８の内部であって通気孔８１ａ，８２ａに間近な位置にも加熱発泡材９が取り付けられているので、隣接する家屋に火災が発生し、それによる火炎や熱風が通気孔５３から換気室７内に進入したときには、箱形の仕切り部材８の内部に取り付けられた加熱発泡材９が流入外気の熱を受けて膨張することで、上下の仕切り板８１，８２間の空間に膨張した加熱発泡材９が充満して，両仕切り板８１，８２に形成された通気孔８１ａ，８２ａを加熱発泡材９で密閉して外気の通気路を確実に遮断し、また、通気孔５３の近傍に取り付けられた加熱発泡材９は、その上方に仕切り部材８から下方へ突出した突部８５が位置し、当該加熱発泡材９上方の外気の通気路を狭めてあるので、通気孔５３から進入する熱せられた外気を受けて短時間で膨張せしめられ、両加熱発泡材９が膨張することで屋根裏空間３に通ずる通気路を完全に遮断し、火炎や熱風が換気室７から屋根裏空間３へ入り込むことを確実に防止して家屋が延焼することを防ぐことが可能である。
【００３４】
図４は本発明の他の実施形態の軒先構成体４を取り付けた家屋の軒先の断面を示しており、これは、前記形態と同形状の鼻隠し化粧部材５と、前記端部支持部材６を一体に設けた仕切り部材８を組み合わせて構成したものである。
【００３５】
すなわち、本形態の仕切り部材８は、図５に示されるように、ともに中央部に通気孔８１ａ，８２ａがそれぞれ形成された仕切り板８１，８２を上下に対向配置し、両板の前側面部を連結して箱形に組み合わせ、その前端部に鼻隠し１の前面に接合する固定面部８３を設けるとともに、上側の仕切り板８１の後側後端部８１ｂを下方へ適宜な幅だけ屈曲し、且つその先端に前方へ折り返した形状に設け、また、下側の仕切り板８２の後側後端部８２ｂを下方へ屈曲させて仕切り板８１の後側端部８１ｂに接合させて形成し、下側の仕切り板８２の上面であって通気孔８２ａの両側に加熱発泡材９，９を接着固定して取り付けたものである。
【００３６】
本形態の軒先構成体４の軒先への取り付けは、先ず、仕切り部材８の固定面部８３を鼻隠し１の前面に接合して仮固定した状態で、仕切り板８１の後側端部８１ｂを外壁２に接合し、これに重なった仕切り板８２の後側端部８２ｂの外側から固着具１０を打ち込んで外壁２に固定し、次いで、鼻隠し化粧部材５の前側面部５１を仕切り部材８の固定面部８３に重ねるとともに、下側面部５２先端の上方折れ面部５２ｂを仕切り部材８の仕切り板８２と後側端部８１ｂの間に差し入れ、後側端部８１ｂ上に鼻隠し化粧部材５の下側面部５２を支持させて両部材を接続した後、鼻隠し１の前面に重なり合った仕切り部材８の固定面部８３と鼻隠し化粧部材５の前側面部５１を、固着具１０を打ち込んで鼻隠し１に固定することで行うことができる。
【００３７】
図６は本発明のさらに他の実施形態の軒先構成体４を取り付けた家屋の軒先の断面を示しており、これは、前記形態と略同形状の鼻隠し化粧部材５と、前記形態と同様に端部支持部材６を一体に設けた仕切り部材８を組み合わせて構成したものである。
【００３８】
すなわち、本形態の仕切り部材８は、表面に通気孔８１ａ，８２ａがそれぞれ形成された仕切り板８１，８２を上下に対向配置し、両板の前側面部を連結して箱形に組み合わせ、その前端部に鼻隠し１の前面に接合する固定面部８３を設けるとともに、上側の仕切り板８１の後側後端部８１ｂを下側の仕切り板８２の上面に固着具１０で留め付け、下側の仕切り板８２の後側端部８２ｂを下方へ適宜な幅だけ屈曲し、且つその先端に前方へ折り返した形状に設けて、仕切り板８２の下面とその後側端部８２ｂとの間で鼻隠し化粧部材５の下側面部５２を支持することができるように形成し、また、仕切り板８１，８２の通気孔８１ａ，８２ａを前後互い違いの位置に設け、仕切り板８２の上面であって仕切り板８１の通気孔８１ａの下方に、加熱発泡材９，９を並べて接着固定して取り付けたものである。
【００３９】
これらの形態の軒先構成体４によっても、鼻隠し化粧部材５に形成された通気孔５３と、仕切り部材８の上下の仕切り板８１，８２に形成された通気孔８１ａ，８２ａにより、屋根裏空間３に通じる通気路が換気室７内に形成され、通気孔５３から進入した外気を、通気路を通して屋根裏空間３へと流入させ、当該空間を換気することが可能である。
また、隣接する家屋に火災が発生し、それによる火炎や熱風が通気孔５３から換気室７内に進入したときには、通気孔５３の間近に取り付けられた加熱発泡材９が膨張し、また、箱形の仕切り部材８の内部に取り付けられた加熱発泡材９，９が流入外気の熱を受けて仕切り部材８内で膨張することで通気路を遮断し、火炎や熱風が換気室７から屋根裏空間３へ入り込むことを確実に防止して家屋が延焼することを防ぐことが可能である。
【００４０】
なお、図示した形態は、軒先構成体の実施形態を例示したものであり、本発明はこれらに限定されず、他の適宜な形態に構成することが可能である。
【符号の説明】
【００４１】
１  鼻隠し、２  外壁、３  屋根裏空間、４  軒先構成体、５  鼻隠し化粧部材、５１  前側面部、５２  下側面部、５３  通気孔、６  端部支持部材、７  換気室、８  仕切り部材、８１，８２  仕切り板、８１ａ，８２ａ  通気孔、９  加熱発泡材、１０  固着具
【図１】
2019073877.tif 000003
【図２】
2019073877.tif 000004
【図３】
2019073877.tif 000005
【図４】
2019073877.tif 000006
【図５】
2019073877.tif 000007
【図６】
2019073877.tif 000008
【図７】
2019073877.tif 000009